(57)【要約】【課題】一般ユーザが簡便に所望の形状に組み付けることができる構造体を提供する。【解決手段】貫通孔２８が連通するように複数のブロック２０が配設される。一方のブロック２０の第１面２１と他方のブロック２０の第２面２２とを当接させ、両ブロックの貫通孔２８を連通させる。連通した貫通孔２８に緊張材３０が挿通され、緊張材３０にテンションを掛けることにより、複数のブロック２０の配置が保持される。【選択図】図２
2019088193.tif 000002
【特許請求の範囲】
【請求項１】
互いに対向する第１面および第２面、前記第１面の前辺と前記第２面の前辺とを繋ぐ第３面、第３面と対向し、前記第１面の後辺と前記第２面の後辺とを繋ぐ第４面、前記第１面の両側辺と前記第２面の両側辺とを繋ぎ、互いに対向する第５面および第６面を有する六面体形状を有し、前記第１面と前記第２面との間を貫通する貫通孔が設けられ、前記貫通孔が連通するように配設された複数のブロックと、
前記複数のブロックの前記貫通孔を貫通し、テンションが掛けられることで前記複数のブロックの形状を保持する緊張材と、
を備えることを特徴とする構造体。
【請求項２】
前記第３面の前記貫通孔の軸方向の長さが、前記第４面の前記貫通孔の軸方向の長さより大きく、前記第５面を正面視したときに、前記貫通孔の軸方向と直交する面に対して前記第１面が所定の角度だけ傾き、前記貫通孔の軸方向と直交する面に対して前記第２面が前記第１面とは反対側に前記所定の角度だけ傾いている請求項１に記載の構造体。
【請求項３】
前記緊張材がカーボンファイバーで形成されている請求項１または２に記載の構造体
【請求項４】
花壇、仮設住宅、簡易ハウス、パーティション、水槽、プールからなる群より選ばれる物品である請求項１乃至３のいずれか１項に記載の構造体。
【発明の詳細な説明】
【技術分野】
【０００１】
本発明は、種種の物品の形成に使用できる構造体に関する。
【背景技術】
【０００２】
従来、簡易住宅などの構造体を構築する場合には、予め決められた設計図に基づいて所定のパーツを組み付ける必要がある。
【先行技術文献】
【特許文献】
【０００３】
【特許文献１】特開平９−３２３２５
【発明の概要】
【発明が解決しようとする課題】
【０００４】
従来の簡易住宅は専門の業者が決められた設計図どおりにパーツを組み付ける必要があるため、一般のユーザの手で必要に応じて所望の形状にその場で組み付けることには向いていない。
【０００５】
本発明はこうした課題に鑑みてなされたものであり、その目的は、一般ユーザが簡便に所望の形状に組み付けることができる構造体の提供にある。
【課題を解決するための手段】
【０００６】
本発明のある態様は、構造体である。当該構造体は、互いに対向する第１面および第２面、前記第１面の前辺と前記第２面の前辺とを繋ぐ第３面、第３面と対向し、前記第１面の後辺と前記第２面の後辺とを繋ぐ第４面、前記第１面の両側辺と前記第２面の両側辺とを繋ぎ、互いに対向する第５面および第６面を有する六面体形状を有し、前記第１面と前記第２面との間を貫通する貫通孔が設けられ、前記貫通孔が連通するように配設された複数のブロックと、前記複数のブロックの前記貫通孔を貫通し、テンションが掛けられることで前記複数のブロックの形状を保持する緊張材と、を備えることを特徴とする。
【０００７】
上記態様の構造体において、前記第３面の前記貫通孔の軸方向の長さが、前記第４面の前記貫通孔の軸方向の長さより大きく、前記第５面を正面視したときに、前記貫通孔の軸方向と直交する面に対して前記第１面が所定の角度だけ傾き、前記貫通孔の軸方向と直交する面に対して前記第２面が前記第１面とは反対側に前記所定の角度だけ傾いていてもよい。前記緊張材がカーボンファイバーで形成されていてもよい。花壇、仮設住宅、簡易ハウス、パーティション、水槽、プールからなる群より選ばれる物品であってもよい。
【０００８】
なお、上述した各要素を適宜組み合わせたものも、本件特許出願によって特許による保護を求める発明の範囲に含まれうる。
【発明の効果】
【０００９】
本発明によれば、一般ユーザが簡便に所望の形状に組み付けることができる。
【図面の簡単な説明】
【００１０】
【図１】図１（ａ）は、ブロックの斜視図であり、図１（ｂ）は、図１（ａ）のＡ−Ａ線に沿った断面図である。
【図２】構造体の例を示す概略断面図である。
【図３】図３（ａ）は、実施形態２に係る構造体の平面図であり、図３（ｂ）は、実施形態２に係る構造体の斜視図である。
【図４】図４（ａ）は、実施形態３に係る構造体の斜視図であり、図４（ｂ）は、連結部分に用いられるブロックを示す概略図である。
【図５】図５（ａ）は、実施形態４に係る構造体の斜視図であり、図５（ｂ）は、構造体の断面図である。
【図６】実施形態５に係る構造体の斜視図であり、図６（ｂ）は、構造体の側面図である。
【図７】ブロックに２本の緊張材を挿通する例を示す図である。
【図８】ブロックに形成された貫通孔の内壁に沿って円筒状の保護部材を設ける例を示す図である。
【図９】図９（ａ）は、ブロックの斜視図であり、図９（ｂ）は、図９（ａ）のＡ−Ａ線に沿った断面図である。
【発明を実施するための形態】
【００１１】
以下、本発明の実施の形態を図面を参照して説明する。なお、すべての図面において、同様な構成要素には同様の符号を付し、適宜説明を省略する。
【００１２】
（実施形態１）
本実施形態の構造体は特に用途を限定しない基本形である。まず、本実施形態の構造体に用いられるブロックについて説明する。図１（ａ）は、ブロック２０の斜視図であり、図１（ｂ）は、図１（ａ）のＡ−Ａ線に沿った断面図である。ブロック２０は、六面体形状であり、互いに対向する第１面２１および第２面２２、第１面の前辺と第２面の前辺とを繋ぐ第３面２３、第３面と対向し、第１面の後辺と第２面の後辺とを繋ぐ第４面２４、第１面の両側辺と第２面の両側辺とを繋ぎ、互いに対向する第５面２５および第６面２６を有する。ブロック２０には、第１面の中央部分に第１面２１と第２面２２との間を貫通する貫通孔２８が設けられている。
【００１３】
第３面２３の貫通孔２８の軸方向の長さＬ１が、第４面２４の貫通孔２８の軸方向の長さＬ２より大きく、第５面２５を正面視したときに、貫通孔２８の軸方向と直交する面に対して第１面２１が所定の角度だけ傾き、貫通孔２８の軸方向と直交する面に対して第２面２２が第１面２１とは反対側に所定の角度だけ傾いている。言い換えると、図１（ｂ）に示すように、ブロック２０は、第５面２５を正面視したときに、等脚台形の形状を有する。
【００１４】
ブロック２０は、樹脂、木材、紙類などの軽量な材料で形成される。樹脂としては、発泡スチロールなどの発泡樹脂やゴムなどが好適であり、木材としては、バルサ材が好適である。また、ブロック２０に透明樹脂を使用し、さらに、内部を空洞にしてもよい。これによれば、軽量化を図るとともに、意匠性を高めることができる。
【００１５】
図２は、構造体１０の例を示す概略断面図である。構造体１０では、貫通孔２８が連通するように複数のブロック２０が配設される。具体的には、図２に示すように、一方のブロック２０の第１面２１と他方のブロック２０の第２面２２とを当接させ、両ブロックの貫通孔２８を連通させる。一方のブロック２０の第３面２３と他方のブロックの第４面２４を同じ側にすることにより、２つのブロック２０を直線的に並べることができる。また、一方のブロック２０の第３面２３と他方のブロックの第３面２３を同じ側にすることにより、２つのブロック２０を屈曲した関係にすることができる。
【００１６】
上述のように連通した貫通孔２８に緊張材３０が挿通されている。緊張材３０は、ロープ状またはチェーン状の部材であり、その材料は、構造体１０の形状を維持するため緊張材３０に掛けられるテンションに十分耐える強度を持つものであれば特に限定されないが、強度に優れる点で、カーボンファイバーが好適である。また、緊張材３０の材料をゴムのような弾性材としてもよい。
【００１７】
緊張材３０の一方の端部には、緊張材３０が抜けないようにするための留め具４０が設けられている。留め具４０は、貫通孔２８の径よりも大きい形状を有し、図２に示すように、緊張材３０の一方の端部側のブロック２０の第２面２２に当接される。留め具４０には、緊張材３０を通すための穴が設けられており、この穴に緊張材３０を通し、緊張材３０の一方の端部を当該穴より大きくすることにより、留め具４０が外れないようになっている。なお、緊張材３０の一方の端部に単に結び目を形成するなどして、緊張材３０の一方の端部の大きさを貫通孔２８の径より大きくすることにより、緊張材３０の一方の端部が抜けないようにしてもよい。また、留め具４０が出っ張らないようにするために、緊張材３０の一方の端部側のブロック２０の第２面２２に座掘りを形成してもよい。
【００１８】
また、緊張材３０の他方の端部は、留め具４０と同様な構造を有し、ブロック２０の第１面２１を保護するための保護部４２を経由して折り返され、ブロック２０の端部に設けられた引き締め部５０に繋げられている。引き締め部５０としては、いわゆる荷締が挙げられる。引き締め部５０により緊張材３０に所定のテンションを掛けることにより、３つのブロック２０が配置や形状を保持した状態で自立する。なお、緊張材３０の材料をゴムのような弾性材とした場合には、通常時の緊張材３０の長さを連通した貫通孔２８の長さより短いものとし、緊張材３０を引っ張ることで、連通した貫通孔２０の両端から出して固定してもよい。この場合には、荷締５０でテンションを付与することを不要させるか、荷締５０でテンションを付与することを補助的にすることができる。
【００１９】
以上説明したように構造体１０は、複数の共通のブロック２０を用いて形成される。隣接するブロック２０の向きにより、直線状の形状や、屈曲した形状をユーザの好みにあわせてその場で形成することができる。ブロック２０は軽量であるため、ハンドリングが用意であり、使用しない場合にはコンパクトにまとめて貯蔵することもできる。また、ブロック２０を共通化することにより、製造コストを低減することができる。
【００２０】
本実施形態のように、貫通孔２８を第１面２１の中央部分に１本設けることにより、貫通孔２８に緊張材３０を挿通した状態で、貫通孔２８の軸に沿ってブロック２０を１８０度回転させることにより、隣接するブロック２０を直線状の配置または屈曲した配置のいずれかに速やかに変更することができる。
【００２１】
（実施形態２）
図３（ａ）は、実施形態２に係る構造体１０の平面図であり、図３（ｂ）は、実施形態２に係る構造体１０の斜視図である。本実施形態の構造体は、花壇の縁取りとして用いられる。具体的には、図３（ａ）に示すように、複数のブロック２０が花壇を縁取るように配置される。本実施形態では、各ブロック２０の第３面２３および第４面２４が鉛直方向になり、貫通孔２８が水平方向になるように配置される。ブロック２０の数や配置の仕方は、ユーザの好みにより適宜変更される。
【００２２】
本実施形態によれば、ユーザの好みに合った形状の花壇を簡便に作製することができる。
【００２３】
なお、花壇を囲うブロック２０の列の始端と終端に隙間が生じる場合には、当該隙間を覆うようなカバーを設けてもよい。これによれば、花壇の縁取りの見た目をより良くすることができる。また、本実施形態のように緊張材３０の始点と終点が近接する場合には、緊張材３０の始点と終点をターンバックルのような締付け具に取り付けることにより、緊張材３０にテンションを付与してもよい。
【００２４】
（実施形態３）
図４（ａ）は、実施形態３に係る構造体１０の斜視図である。図４（ｂ）は、連結部分に用いられるブロック７０を示す概略図である。本実施形態の構造体は、水槽またはプールとして用いられる。本実施形態では、底部６０の縁に沿って、複数のブロック２０が配置される。底部とブロック２０とを接着剤により固定してもよい。始点となるブロック２０ａと終点となるブロック２０ｂとの間に、連結用のブロック７０が設置される。ブロック７０には、ブロック２０ａの貫通孔２８と連通し、Ｌ字状に屈曲して外側に開口を有する通路７２と、ブロック２０ｂの貫通孔２８と連通し、Ｌ字状に屈曲して外側に開口を有する通路７４とが形成されている。
【００２５】
緊張材３０の始端は、通路７２を通ってブロック７０の外側に出され、実施形態１と同様に、留め具４０による抜けないようになっている。また、緊張材３０の終端は、通路７４を通ってブロック７０の外側に出され、保護部４２を経由して、引き締め部５０に取り付けられている。
【００２６】
本実施形態によれば、水槽やプールを簡便に形成することができる。
【００２７】
本実施形態では、ブロック２０およびブロック７０の材料にゴムを用いることが好適である。これによれば、ブロック間に隙間が生じにくくし、防水性を高めることができる。
【００２８】
（実施形態４）
図５（ａ）は、実施形態４に係る構造体の斜視図である。図５（ｂ）は、構造体１０の断面図である。本実施形態の構造体は、簡易的なハウス、または仮設住宅として用いられる。本構造体は、たとえば、災害時の避難用に用いることや、室内において児童が遊んだり本を読んだりする用途に用いることができる。具体的には、図５（ｂ）に示すように、複数のブロック２０を用いて、直線的に並べることで壁部Ｗを形成し、屈曲した配置を連続させることにより、アーチ状の屋根部Ａを形成する。一対の保持部８０にはそれぞれ溝８２が形成されており、この溝に複数のブロック２０のうち端部に位置するブロック２０を差し込むことにより、構造体１０の安定性を保つことができる。
【００２９】
本実施形態によれば、簡易的なハウスまたは仮設住宅を必要に応じて迅速かつ簡便に作製することができる。特に、ブロック２０を備蓄しておくことにより、災害時に必要な仮設住宅を迅速かつ大量に作製することができる。
【００３０】
（実施形態５）
図６（ａ）は、実施形態５に係る構造体の斜視図である。図６（ｂ）は、構造体１０の側面図である。本実施形態で使用されるブロック２０は、薄板状である。本実施形態では、複数のブロック２０を緊張材３０により連結することにより、パーティションとして用いられる。保持部９０にはそれぞれ溝９２が形成されており、この溝９２にブロック２０の下端を挿入することにより、構造体１０の安定性を保つことができる。
【００３１】
本実施形態によれば、設置される場所に応じて、複数のブロック２０を用いて所望のパターンのパーティションを形成することができる。
【００３２】
上述した各実施形態では、各ブロック２０に１本の緊張材３０が挿通されているが、各ブロック２０に挿通される緊張材３０の数は、１本に限られず、２本以上としてもよい。ブロック２０に挿通される緊張材３０の本数を増やすことにより、複数のブロック２０に掛けるテンションの合計を増やすことができる。
【００３３】
たとえば、図７に示すように、各ブロック２０に２本の緊張材３０を挿通してもよい。これによれば、緊張材３０により構造体１０に掛けられるテンションをより大きくすることができるため、ブロックの大型化を図ることができる。また、たとえば、実施形態４のように構造体で仮設住宅を形成する場合に、図７に示すように、一方の緊張材３０ａのみが挿通される貫通孔１０４を有する第１専用ブロック１００と、他方の緊張材３０ｂのみが挿通される貫通孔１０６を有する第２専用ブロック１０２を配設することにより、第１専用ブロック１００と第２専用ブロック１０２との間に窓を形成することができる。
【００３４】
また、上述した各実施形態では、ブロック２０の貫通孔２８に緊張材３０が挿通されているが、図８に示すように、各ブロック２０に形成された貫通孔２８の内壁に沿って円筒状の保護部材２００を設置してもよい。保護部材２００に用いられる材料は、各ブロック２０より強度が高ければよい。たとえば、ブロック２０が発泡スチロール製の場合、保護部材２００の材料として塩化ビニールが好適である。これによれば、緊張材３０にテンションを掛けたときに、貫通孔２８に損傷が生じることを抑制することができる。
【００３５】
また、図９（ａ）、図９（ｂ）に示すように、ブロック２０の第１面２１に凸部３００を設け、ブロック２０の第２面２２に凹部３１０が設けてもよい。これによれば、２つのブロック２０を配置したとき、一方のブロック２０の凸部が他方のブロック２０の凹部に填め込まれる。これにより、緊張材３０にテンションが掛けられたときに、２つのブロック２０の位置がずれることが抑制され、所望の形状が保持される。なお、２つのブロック２０が直線的に配置される場合、２つのブロックが屈曲した配置になる場合の両方に対応するため、凸部３００を凹部３１０に填め込んだときに、隙間が生じるようにすることが好ましい。この観点から、凸部３００の形状を半球状または半楕円状とすることが好ましい。
【００３６】
また、上述した各実施形態では、複数のブロック２０を同一形状としているが、一部に特殊なブロック２０を用いてもよい。たとえば、端部に位置するブロックについては、端部の面をテーパ状とせず、構造体が自立しやすい形状としてもよい。
【００３７】
また、必要に応じて、Ｌ字状のブロックや湾曲したブロックを用いてもよい。これによれば、ユーザの要求に見合った形状の構造体を形成しやすくすることができる。
【００３８】
本発明は、上述の各実施の形態に限定されるものではなく、当業者の知識に基づいて各種の設計変更等の変形を加えることも可能であり、そのような変形が加えられた実施の形態も本発明の範囲に含まれうるものである。
【符号の説明】
【００３９】
１０  構造体、２０  ブロック、２８  貫通孔、３０  緊張材
【図１】
2019088193.tif 000003
【図２】
2019088193.tif 000004
【図３】
2019088193.tif 000005
【図４】
2019088193.tif 000006
【図５】
2019088193.tif 000007
【図６】
2019088193.tif 000008
【図７】
2019088193.tif 000009
【図８】
2019088193.tif 000010
【図９】
2019088193.tif 000011